(57)【特許請求の範囲】
【請求項１】
メモリーと、
１ページの画像データをサブバンドデータごとに圧縮し、圧縮済みの前記サブバンドデータを、前記メモリー内の第１ワークメモリーにそれぞれ記憶する圧縮処理部と、
前記画像データから得られる圧縮済みの前記サブバンドデータを前記第１ワークメモリーから読み出し、データ保存領域に保存するデータストア部と、
前記データ保存領域から前記圧縮済みのサブバンドデータを読み出し、前記メモリー内の第２ワークメモリーにそれぞれ記憶するデータロード部と、
前記圧縮済みのサブバンドデータを伸張する伸張処理部と、
前記メモリーにおいて前記第１ワークメモリーを確保し、前記圧縮済みの前記サブバンドデータが前記第１ワークメモリーから前記データ保存領域へ保存された後に、前記第１ワークメモリーを解放し、また、前記メモリーにおいて前記第２ワークメモリーを確保するメモリー領域管理部とを備え、
前記メモリー領域管理部は、
（ａ）物理的に１または複数のブロック記憶領域を前記メモリーにおいて確保し、確保した前記１または複数のブロック記憶領域を前記第１ワークメモリーに割り当て、前記１または複数のブロック記憶領域を関連付ける第１ブロック管理データを生成し、
（ｂ）前記画像データがファーストコピーの画像データではない場合、物理的に１または複数のブロック記憶領域を前記メモリーにおいて確保し、確保した前記１または複数のブロック記憶領域を前記第２ワークメモリーに割り当て、前記１または複数のブロック記憶領域を関連付ける第２ブロック管理データを生成し、前記画像データがファーストコピーの画像データである場合、前記第２ワークメモリーのために前記１または複数のブロック記憶領域を確保せず、また、前記第２ブロック管理データを生成せず、
（ｃ）前記画像データ内での主走査方向および副走査方向の前記サブバンドデータの配列に沿って順番に、前記圧縮済みのサブバンドデータが記憶されている前記ブロック記憶領域についての前記第１ブロック管理データまたは前記第２ブロック管理データを関連付けたサブバンド管理データを、前記圧縮済みのサブバンドデータごとに生成し、
前記データロード部は、前記画像データがファーストコピーの画像データではない場合、前記データ保存領域から前記圧縮済みのサブバンドデータを読み出し、前記メモリー内の第２ワークメモリーにそれぞれ記憶し、前記画像データがファーストコピーの画像データである場合、前記データ保存領域から前記圧縮済みのサブバンドデータを読み出さず、
前記伸張処理部は、前記画像データがファーストコピーの画像データではない場合、前記第２ワークメモリーに記憶されている前記圧縮済みのサブバンドデータを伸張し、前記画像データがファーストコピーの画像データである場合、前記第１ワークメモリーに記憶されている前記圧縮済みのサブバンドデータを伸張すること、
を特徴とする画像処理装置。
【請求項２】
前記サブバンド管理データは、前記画像データがファーストコピーの画像データであるか否かを示すフラグを含み、
前記伸張処理部は、前記フラグに基づいて、前記画像データがファーストコピーの画像データであるか否かを判定すること、
を特徴とする請求項１記載の画像処理装置。
【請求項３】
前記メモリー領域管理部は、前記画像データがファーストコピーの画像データである場合において前記伸張処理部が前記第１ワークメモリーに記憶されている前記圧縮済みのサブバンドデータを伸張している際に、並行して、前記ファーストコピーの画像データの後続ページのために、物理的に１または複数のブロック記憶領域を前記メモリーにおいて確保し、確保した前記１または複数のブロック記憶領域を前記第２ワークメモリーに割り当て、前記１または複数のブロック記憶領域を関連付ける第２ブロック管理データを生成することを特徴とする請求項１または請求項２記載の画像処理装置。
【請求項４】
前記伸張処理部は、前記第１ワークメモリーまたは前記第２ワークメモリーに記憶される前記圧縮済みのサブバンドデータを、１ページ分一括して連続的に伸張することを特徴とする請求項１から請求項３のうちのいずれか１項記載の画像処理装置。
【発明の詳細な説明】
【技術分野】
【０００１】
本発明は、画像処理装置に関するものである。
【背景技術】
【０００２】
ある画像処理装置では、画像を主走査方向および副走査方向に分割して得られるブロックごとに画像処理を実行する。そのような画像処理装置では、ブロックごとに、回転後の画像内でのブロックの記憶位置を特定し、その記憶位置に、そのブロックの画像データを記憶させて、画像の回転を行っている。
【０００３】
ある画像処理装置では、１ページごとに、（ａ）物理的に確保した１または複数のブロック記憶領域をワークメモリーに割り当て、各ブロック記憶領域に対してディスクリプターを生成し、（ｂ）サブバンドデータの配列に沿って順番に、圧縮済みのサブバンドデータが記憶されているブロック記憶領域についてのディスクリプターを関連付けたサブバンド管理データを生成し、（ｃ）１ページ分の圧縮済みのサブバンドデータを、ワークメモリーを介してソートメモリーに記憶した後に、ディスクリプターのワークメモリーを解放し、（ｄ）その後、印刷などでソートメモリー内の圧縮済みのサブバンドデータが必要になったときに、ワークメモリーを確保し、ソートメモリーからワークメモリーへ圧縮済みのサブバンドデータを読み出し、サブバンド管理データに基づいてディスクリプターを再度生成し、（ｅ）回転角に応じて、サブバンド管理データとディスクリプターとの関連付けを変更し、（ｆ）圧縮済みのサブバンドデータを伸張し、（ｇ）回転角に応じて、サブバンドデータ内での回転を行うことで、画像回転を行っている（例えば特許文献１参照）。これにより、物理的に分割してワークメモリーの記憶領域を確保するメモリー領域管理を行っており、画像データを圧縮して保存する場合において、画像回転を簡単な処理で行っている。
【先行技術文献】
【特許文献】
【０００４】
【特許文献１】特開２０１４−１４６９８７号公報
【発明の概要】
【発明が解決しようとする課題】
【０００５】
上述の技術では、ワークメモリーが必要となるときに、ブロック記憶領域を確保し、ディスクリプターでブロック記憶領域を管理している。したがって、ソートメモリーに圧縮済みのサブバンドデータを格納した後、不要となったワークメモリーおよびディスクリプターを破棄してしまうため、ソートメモリーに格納されている圧縮済みのサブバンドデータを伸張して使用したい場合、再度、ブロック記憶領域を確保し、ディスクリプターでブロック記憶領域を管理してワークメモリーを形成している。
【０００６】
後段の伸張処理において、１ページ分の圧縮済みのサブバンドデータを一括して伸張する場合、１ページ分のブロック記憶領域の確保およびディスクリプターの生成が伸張処理の開始前に必要となる。
【０００７】
他方、複合機などの画像形成装置では、ファーストコピータイム（つまり、コピー開始後に最初のページの印刷が行われるまでの時間）が重要視されている。上述のように、第１ページの圧縮済みのサブバンドデータをソートメモリーから読み出してファーストコピー（コピー開始後の最初のページの印刷）に使用する際に、１ページ分のブロック記憶領域の確保およびディスクリプターの生成を伸張処理の開始前に行うと、ファーストコピータイムが長くなってしまう。
【０００８】
本発明は、上記の問題に鑑みてなされたものであり、物理的に分割してワークメモリーの記憶領域を確保するメモリー領域管理を行っており、画像データを圧縮して保存する場合において、ファーストコピータイムが短くて済む画像処理装置を得ることを目的とする。
【課題を解決するための手段】
【０００９】
本発明に係る画像処理装置は、メモリーと、１ページの画像データをサブバンドデータごとに圧縮し、圧縮済みの前記サブバンドデータを、前記メモリー内の第１ワークメモリーにそれぞれ記憶する圧縮処理部と、前記画像データから得られる圧縮済みの前記サブバンドデータを前記第１ワークメモリーから読み出し、データ保存領域に保存するデータストア部と、前記データ保存領域から前記圧縮済みのサブバンドデータを読み出し、前記メモリー内の第２ワークメモリーにそれぞれ記憶するデータロード部と、前記圧縮済みのサブバンドデータを伸張する伸張処理部と、前記メモリーにおいて前記第１ワークメモリーを確保し、前記圧縮済みの前記サブバンドデータが前記第１ワークメモリーから前記データ保存領域へ保存された後に、前記第１ワークメモリーを解放し、また、前記メモリーにおいて前記第２ワークメモリーを確保するメモリー領域管理部とを備える。前記メモリー領域管理部は、（ａ）物理的に１または複数のブロック記憶領域を前記メモリーにおいて確保し、確保した前記１または複数のブロック記憶領域を前記第１ワークメモリーに割り当て、前記１または複数のブロック記憶領域を関連付ける第１ブロック管理データを生成し、（ｂ）前記画像データがファーストコピーの画像データではない場合、物理的に１または複数のブロック記憶領域を前記メモリーにおいて確保し、確保した前記１または複数のブロック記憶領域を前記第２ワークメモリーに割り当て、前記１または複数のブロック記憶領域を関連付ける第２ブロック管理データを生成し、前記画像データがファーストコピーの画像データである場合、前記第２ワークメモリーのために前記１または複数のブロック記憶領域を確保せず、また、前記第２ブロック管理データを生成せず、（ｃ）前記画像データ内での主走査方向および副走査方向の前記サブバンドデータの配列に沿って順番に、前記圧縮済みのサブバンドデータが記憶されている前記ブロック記憶領域についての前記第１ブロック管理データまたは前記第２ブロック管理データを関連付けたサブバンド管理データを、前記圧縮済みのサブバンドデータごとに生成する。前記データロード部は、前記画像データがファーストコピーの画像データではない場合、前記データ保存領域から前記圧縮済みのサブバンドデータを読み出し、前記メモリー内の第２ワークメモリーにそれぞれ記憶し、前記画像データがファーストコピーの画像データである場合、前記データ保存領域から前記圧縮済みのサブバンドデータを読み出さない。前記伸張処理部は、前記画像データがファーストコピーの画像データではない場合、前記第２ワークメモリーに記憶されている前記圧縮済みのサブバンドデータを伸張し、前記画像データがファーストコピーの画像データである場合、前記第１ワークメモリーに記憶されている前記圧縮済みのサブバンドデータを伸張する。
【発明の効果】
【００１０】
本発明によれば、画像処理装置において、物理的に分割してワークメモリーの記憶領域を確保するメモリー領域管理を行っており、画像データを圧縮して保存する場合において、ファーストコピータイムが短くて済む。
【図面の簡単な説明】
【００１１】
【図１】図１は、本発明の実施の形態に係る画像処理装置を有する画像形成装置の構成を示すブロック図である。
【図２】図２は、画像データおよびサブバンドデータの一例を説明する図である。
【図３】図３は、図１における画像処理装置において使用されるディスクリプターの構成例を示す図である。
【図４】図４は、図３に示すディスクリプターによるワークメモリーの管理について説明する図である。
【図５】図５は、図１における画像処理装置において使用されるサブバンド管理データによる圧縮済みサブバンドデータの管理について説明する図である。
【図６】図６は、図１における画像処理装置において使用されるサブバンド管理データの構成例を示す図である。
【図７】図７は、サブバンド管理データとディスクリプターとの間の関連付けの一例を示す図である。
【図８】図８は、図１における画像処理装置の動作について説明するフローチャートである。
【図９】図９は、ソートメモリー内に保存されている１つの画像データに対応する圧縮済みサブバンドデータの一例を示す図である。
【図１０】図１０は、ソートメモリーからのロード後のディスクリプターによるワークメモリーの管理について説明する図である。
【図１１】図１１は、回転角指定情報により指定される回転角が０度である場合における、ソートメモリーからのロード後の、サブバンド管理データとディスクリプターとの間の関連付けの一例を示す図である。
【図１２】図１２は、図２に示す画像データを９０度回転させた後の画像データの構成を示す図である。
【図１３】図１３は、９０度回転後の、各サブバンド管理データによる圧縮済みサブバンドデータの管理について説明する図である。
【図１４】図１４は、回転角指定情報により指定される回転角が９０度である場合における、ソートメモリーからのロード後の、サブバンド管理データとディスクリプターとの間の関連付けの一例を示す図である。
【図１５】図１５は、図１４に示す関連付けに対応するサブバンドデータの配列を示す図である。
【発明を実施するための形態】
【００１２】
以下、図に基づいて本発明の実施の形態を説明する。
【００１３】
図１は、本発明の実施の形態に係る画像処理装置を有する画像形成装置の構成を示すブロック図である。
【００１４】
画像形成装置１は、コピー機、複合機などといった装置である。画像形成装置１は、画像読取装置１１、印刷装置１２、および画像処理装置１３を有する。画像読取装置１１は、原稿画像を光学的に読み取り、原稿画像の画像データを生成する内部装置である。印刷装置１２は、画像処理装置１３による画像処理後の画像データに基づき画像を印刷する内部装置である。
【００１５】
画像処理装置１３は、演算処理装置２１、およびメモリー２２を有する。
【００１６】
演算処理装置２１は、コンピューター、ＡＳＩＣ（Application Specific Integrated Circuit）などを有し、ソフトウェアおよび／またハードウェアで各種処理部を実現する。メモリー２２は、ＲＡＭなどの主記憶装置である。
【００１７】
演算処理装置２１では、圧縮処理部３１、メモリー領域管理部３２、データストア部３３、データロード部３４、および伸張処理部３５を有する。
【００１８】
圧縮処理部３１は、原稿の各ページの画像データをサブバンドデータごとに圧縮し、圧縮済みサブバンドデータを、メモリー２２内の第１ワークメモリーにそれぞれ記憶する。なお、サブバンドデータのデータ長は一定であるが、圧縮済みサブバンドデータのデータ長は、データ値によって異なる。
【００１９】
サブバンドデータは、画像データにおけるバンドデータを主走査方向において分割したデータである。サブバンドデータは、主走査方向および副走査方向における画素数が同一である画像領域の画像データである。
【００２０】
図２は、画像データおよびサブバンドデータの一例を説明する図である。図２に示す１ページ分の画像データは、４本のバンド＃１〜＃４を有している。各バンド＃ｉ（ｉ＝１，２，３，４）は、所定本数のラインを有する。この例では、バンド＃ｉのバンドデータは、サブバンドデータＳＢｉ１〜ＳＢｉ３を有する。
【００２１】
メモリー領域管理部３２は、メモリー２２において第１ワークメモリーを確保し、圧縮済みサブバンドデータが第１ワークメモリーからソートメモリーへストアされた後に、第１ワークメモリーを解放し、圧縮済みサブバンドデータがソートメモリーからロードされる際に、メモリー２２において第２ワークメモリーを確保する。なお、ソートメモリーは、メモリー２２または図示せぬ別の記憶装置において確保されている。
【００２２】
データストア部３３は、画像データから得られる圧縮済みサブバンドデータを第１ワークメモリーから読み出し、ソートメモリーに保存する。
【００２３】
処理対象の画像データがファーストコピーの画像データではない場合、データロード部３４は、ソートメモリーから圧縮済のサブバンドデータを読み出し、メモリー２２内の第２ワークメモリーにそれぞれ記憶する。一方、処理対象の画像データがファーストコピーの画像データである場合、データロード部３４は、ソートメモリーから第２ワークメモリーへの圧縮済のサブバンドデータの読み出しを行わない。また、この実施の形態では、データロード部３４は、第２ワークメモリーに圧縮済みサブバンドデータを記憶した後に、回転角に応じて、サブバンド管理データとディスクリプターとの関連付けを変更する。
【００２４】
処理対象の画像データがファーストコピーの画像データではない場合、伸張処理部３５は、第２ワークメモリーに記憶されている圧縮済みサブバンドデータを読み出して伸張する。一方、処理対象の画像データがファーストコピーの画像データである場合、第１ワークメモリーに記憶されている圧縮済みのサブバンドデータを読み出して伸張する。また、この実施の形態では、伸張処理部３５は、回転角に応じて、サブバンドデータ内での回転を行う。なお、この実施の形態では、伸張処理部３５は、第１ワークメモリーまたは第２ワークメモリーに記憶される圧縮済みのサブバンドデータを、１ページ分一括して連続的に伸張する。つまり、伸張処理部３５は、ＡＳＩＣ（Application Specific Integrated Circuit）などでハードウェア処理部として実装され、ＣＰＵなどの他の制御部からの制御を受けることなく、サブバンド管理データおよびディスクリプターを読み込みつつ１ページ分の伸張処理を連続して行う。
【００２５】
以下に、メモリー領域管理部３２によるメモリー領域管理について説明する。
【００２６】
メモリー領域管理部３２は、物理的に１または複数のブロック記憶領域をメモリー２２において確保し、確保した１または複数のブロック記憶領域を第１ワークメモリーに割り当て、確保した１または複数のブロック記憶領域を関連付けるディスクリプターを生成する。
【００２７】
また、処理対象の画像データがファーストコピーの画像データではない場合、メモリー領域管理部３２は、物理的に１または複数のブロック記憶領域をメモリー２２において確保し、確保した１または複数のブロック記憶領域を第２ワークメモリーに割り当て、確保した１または複数のブロック記憶領域を関連付けるディスクリプターを生成する。一方、処理対象の画像データがファーストコピーの画像データである場合、メモリー領域管理部３２は、第２ワークメモリーのために１または複数のブロック記憶領域を確保せず、また、第２ワークメモリーのためのディスクリプターを生成しない。
【００２８】
ここで、ディスクリプターの詳細について説明する。
【００２９】
図３は、図１における画像処理装置１３において使用されるディスクリプターの構成例を示す図である。
【００３０】
ディスクリプター４１は、データ開始アドレスと、データサイズと、後続ディスクリプターアドレスと、最終ディスクリプターフラグとを有する。
【００３１】
「データ開始アドレス」は、ブロック記憶領域の先頭アドレスを示す。
【００３２】
「データサイズ」は、ブロック記憶領域に記憶されているデータのデータサイズを示す。
【００３３】
「後続ディスクリプターアドレス」は、次のディスクリプターの先頭アドレスを示す。なお、次のディスクリプターが存在しない場合、後続ディスクリプターアドレスには、ＮＵＬＬがセットされる。
【００３４】
「最終ディスクリプターフラグ」は、最終ディスクリプターか否かを示すフラグである。次のディスクリプターが存在する場合には、最終ディスクリプターフラグには、１がセットされ、次のディスクリプターが存在しない場合には、最終ディスクリプターフラグには、ゼロがセットされる。
【００３５】
つまり、ディスクリプター４１が複数ある場合には、リスト構造により、複数のディスクリプター４１が関連付けられる。
【００３６】
図４は、図３に示すディスクリプターによるワークメモリーの管理について説明する図である。
【００３７】
この実施の形態では、メモリー領域管理部３２は、１つのバンドデータに対して、１つの第１ワークメモリーおよび１つの第２ワークメモリーを確保する。例えば図２に示すバンド＃１〜＃４に対して、図４に示すように、第１ワークメモリー４３−１〜４３−４が確保される。第１ワークメモリー４３−１〜４３−４は、同一のサイズを有する。
【００３８】
図４では、１つのブロック記憶領域４２−１が、第１ワークメモリー４３−１に割り当てられ、１つのブロック記憶領域４２−２が、第１ワークメモリー４３−２に割り当てられ、２つのブロック記憶領域４２−３ａ，４２−３ｂが、第１ワークメモリー４３−３に割り当てられ、２つのブロック記憶領域４２−４ａ，４２−４ｂが、第１ワークメモリー４３−４に割り当てられている。
【００３９】
ブロック記憶領域４２−１，４２−２，４２−３ａ，４２−３ｂ，４２−４ａ，４２−４ｂに対応して、ディスクリプター４１−１，４１−２，４１−３ａ，４１−３ｂ，４１−４ａ，４１−４ｂが生成される。
【００４０】
ディスクリプター４１−１では、「データ開始アドレス」に、ブロック記憶領域４２−１の先頭アドレスがセットされ、「後続ディスクリプターアドレス」に、ディスクリプター４１−２の先頭アドレスがセットされ、「最終ディスクリプターフラグ」に１がセットされる。圧縮済みサブバンドデータＣＳＢ１１〜ＣＳＢ１３がブロック記憶領域４２−１に記憶され、圧縮済みサブバンドデータＣＳＢ１１〜ＣＳＢ１３の合計サイズが、ディスクリプター４１−１の「データサイズ」にセットされる。
【００４１】
ディスクリプター４１−２では、「データ開始アドレス」に、ブロック記憶領域４２−２の先頭アドレスがセットされ、「後続ディスクリプターアドレス」に、ディスクリプター４１−３ａの先頭アドレスがセットされ、「最終ディスクリプターフラグ」に１がセットされる。圧縮済みサブバンドデータＣＳＢ２１〜ＣＳＢ２３がブロック記憶領域４２−２に記憶され、圧縮済みサブバンドデータＣＳＢ２１〜ＣＳＢ２３の合計サイズが、ディスクリプター４１−２の「データサイズ」にセットされる。
【００４２】
ディスクリプター４１−３ａでは、「データ開始アドレス」に、ブロック記憶領域４２−３ａの先頭アドレスがセットされ、「後続ディスクリプターアドレス」に、ディスクリプター４１−３ｂの先頭アドレスがセットされ、「最終ディスクリプターフラグ」に１がセットされる。圧縮済みサブバンドデータＣＳＢ３１，ＣＳＢ３２がブロック記憶領域４２−３ａに記憶され、圧縮済みサブバンドデータＣＳＢ３１，ＣＳＢ３２の合計サイズが、ディスクリプター４１−３ａの「データサイズ」にセットされる。
【００４３】
ディスクリプター４１−３ｂでは、「データ開始アドレス」に、ブロック記憶領域４２−３ｂの先頭アドレスがセットされ、「後続ディスクリプターアドレス」に、ディスクリプター４１−４ａの先頭アドレスがセットされ、「最終ディスクリプターフラグ」に１がセットされる。圧縮済みサブバンドデータＣＳＢ３３がブロック記憶領域４２−３ｂに記憶され、圧縮済みサブバンドデータＣＳＢ３３のサイズが、ディスクリプター４１−３ｂの「データサイズ」にセットされる。
【００４４】
つまり、この例では、第１ワークメモリー４３−３内で、圧縮済みサブバンドデータＣＳＢ３１，ＣＳＢ３２と圧縮済みサブバンドデータＣＳＢ３３とが異なるブロック記憶領域４２−３ａ，４２−３ｂに記憶されている。
【００４５】
ディスクリプター４１−４ａでは、「データ開始アドレス」に、ブロック記憶領域４２−４ａの先頭アドレスがセットされ、「後続ディスクリプターアドレス」に、ディスクリプター４１−４ｂの先頭アドレスがセットされ、「最終ディスクリプターフラグ」に１がセットされる。圧縮済みサブバンドデータＣＳＢ４１がブロック記憶領域４２−４ａに記憶され、圧縮済みサブバンドデータＣＳＢ４１のサイズが、ディスクリプター４１−４ａの「データサイズ」にセットされる。
【００４６】
ディスクリプター４１−４ｂでは、「データ開始アドレス」に、ブロック記憶領域４２−４ｂの先頭アドレスがセットされ、「後続ディスクリプターアドレス」に、ＮＵＬＬがセットされ、「最終ディスクリプターフラグ」に０がセットされる。圧縮済みサブバンドデータＣＳＢ４２，ＣＳＢ４３がブロック記憶領域４２−４ｂに記憶され、圧縮済みサブバンドデータＣＳＢ４２，ＣＳＢ４３の合計サイズが、ディスクリプター４１−４ｂの「データサイズ」にセットされる。
【００４７】
つまり、この例では、第１ワークメモリー４３−４内で、圧縮済みサブバンドデータＣＳＢ４１と圧縮済みサブバンドデータＣＳＢ４２，ＣＳＢ４３とが異なるブロック記憶領域４２−４ａ，４２−４ｂに記憶されている。
【００４８】
なお、ここでは、第１ワークメモリーに対するディスクリプターについて説明しているが、第２ワークメモリーに対するディスクリプターについても同様である。
【００４９】
さらに、メモリー領域管理部３２は、画像データ内での主走査方向および副走査方向のサブバンドデータの配列に沿って順番に、圧縮済みサブバンドデータが記憶されているブロック記憶領域についてのディスクリプターを関連付けたサブバンド管理データを、圧縮済みサブバンドデータごとに生成する。
【００５０】
ここで、サブバンド管理データの詳細について説明する。
【００５１】
サブバンド管理データは、各圧縮済みサブバンドデータに対して生成され、圧縮済みサブバンドデータと同数のサブバンド管理データが配列とされる。図５は、図１における画像処理装置１３において使用されるサブバンド管理データによる圧縮済みサブバンドデータの管理について説明する図である。
【００５２】
例えば図２に示すサブバンドデータＳＢ１１〜ＳＢ４３の場合、図５に示すように、１２個の圧縮済みサブバンドデータＣＳＢ１１〜ＣＳＢ４３が生成されるため、１２個のサブバンド管理データ５１−１〜５１−１２が生成される。
【００５３】
第１〜第３のサブバンド管理データ５１−１〜５１−３は、主走査方向に沿って圧縮済みサブバンドデータＣＳＢ１１〜ＣＳＢ１３を管理する。
【００５４】
第４〜第６のサブバンド管理データ５１−４〜５１−６は、副走査方向における次のバンドにおいて主走査方向に沿って圧縮済みサブバンドデータＣＳＢ２１〜ＣＳＢ２３を管理する。
【００５５】
第７〜第９のサブバンド管理データ５１−７〜５１−９は、副走査方向における次のバンドにおいて主走査方向に沿って圧縮済みサブバンドデータＣＳＢ３１〜ＣＳＢ３３を管理する。
【００５６】
第１０〜第１２のサブバンド管理データ５１−１０〜５１−１２は、副走査方向における次のバンドにおいて主走査方向に沿って圧縮済みサブバンドデータＣＳＢ４１〜ＣＳＢ４３を管理する。
【００５７】
図６は、図１における画像処理装置１３において使用されるサブバンド管理データの構成例を示す図である。
【００５８】
サブバンド管理データ５１−ｉ（ｉ＝１，・・・，１２）は、圧縮済みサブバンドデータサイズと、オフセット情報と、回転角指定情報と、ディスクリプターアドレスとを有する。
【００５９】
「圧縮済みサブバンドデータサイズ」は、このサブバンド管理データ５１−ｉにより管理される圧縮済みサブバンドデータＣＳＢｊｋのサイズを示す。
【００６０】
「オフセット情報」は、その圧縮済みサブバンドデータＣＳＢｊｋの開始位置の、ブロック記憶領域（「ディスクリプターアドレス」が指すディスクリプターにより管理されるブロック記憶領域）の先頭からのオフセットを示す。
【００６１】
「回転角指定情報」は、画像データの画像についての回転角を０度、９０度、１８０度、および２７０度のいずれに指定する情報である。例えば、０度、９０度、１８０度、および２７０度に対応して０，１，２，３が「回転角指定情報」にセットされる。
【００６２】
「ディスクリプターアドレス」は、その圧縮済みサブバンドデータＣＳＢｊｋ（の先頭部分）が記憶されているブロック記憶領域を管理するディスクリプターの先頭アドレスを示す。
【００６３】
この実施の形態では、さらに、サブバンド管理データ５１−ｉは、ファーストコピーフラグを有する。「ファーストコピーフラグ」は、サブバンド管理データによって管理されている画像データがファーストコピーの画像データであるか否かを示す。メモリー領域管理部３２は、このサブバンド管理データによって管理される画像データがファーストコピーの画像データであるか否かを判定し、画像データがファーストコピーの画像データである場合、ファーストコピーフラグの値を、このサブバンド管理データによって管理される画像データがファーストコピーの画像データであることを示す値（例えば１）にセットし、画像データがファーストコピーの画像データではない場合、ファーストコピーフラグの値を、このサブバンド管理データによって管理される画像データがファーストコピーの画像データではないことを示す値（例えば０）にセットする。なお、メモリー領域管理部３２は、ファーストコピーフラグの値を、このサブバンド管理データによって管理される画像データがファーストコピーの画像データであることを示す値（例えば１）にセットした場合、ファーストコピー完了後に、このファーストコピーフラグの値を、このサブバンド管理データによって管理される画像データがファーストコピーの画像データではないことを示す値（例えば０）に変更する。メモリー領域管理部３２、データロード部３４、および伸張処理部３５は、処理対象の画像データのサブバンド管理データにおけるファーストコピーフラグの値を参照して、その値に基づいて、処理対象の画像データがファーストコピーの画像データであるか否かを判定し、その判定結果に基づいて、上述の処理を行う。
【００６４】
図７は、サブバンド管理データとディスクリプターとの間の関連付けの一例を示す図である。
【００６５】
例えば図４に示すように、圧縮済みサブバンドデータＣＳＢ１１〜ＣＳＢ１３は、第１ワークメモリー４３−１のブロック記憶領域４２−１に記憶されている。このため、圧縮済みサブバンドデータＣＳＢ１１〜ＣＳＢ１３の「ディスクリプターアドレス」は、ブロック記憶領域４２−１のディスクリプター４１−１の先頭アドレスを示す。
【００６６】
また、圧縮済みサブバンドデータＣＳＢ２１〜ＣＳＢ２３は、第１ワークメモリー４３−２のブロック記憶領域４２−２に記憶されている。このため、圧縮済みサブバンドデータＣＳＢ２１〜ＣＳＢ２３の「ディスクリプターアドレス」は、ブロック記憶領域４２−２のディスクリプター４１−２の先頭アドレスを示す。
【００６７】
また、圧縮済みサブバンドデータＣＳＢ３１，ＣＳＢ３２は、第１ワークメモリー４３−３のブロック記憶領域４２−３ａに記憶されている。このため、圧縮済みサブバンドデータＣＳＢ３１，ＣＳＢ３２の「ディスクリプターアドレス」は、ブロック記憶領域４２−３ａのディスクリプター４１−３ａの先頭アドレスを示す。圧縮済みサブバンドデータＣＳＢ３３は、第１ワークメモリー４３−３のブロック記憶領域４２−３ｂに記憶されている。このため、圧縮済みサブバンドデータＣＳＢ３３の「ディスクリプターアドレス」は、ブロック記憶領域４２−３ｂのディスクリプター４１−３ｂの先頭アドレスを示す。
【００６８】
また、圧縮済みサブバンドデータＣＳＢ４１は、第１ワークメモリー４３−４のブロック記憶領域４２−４ａに記憶されている。このため、圧縮済みサブバンドデータＣＳＢ４１の「ディスクリプターアドレス」は、ブロック記憶領域４２−４ａのディスクリプター４１−４ａの先頭アドレスを示す。圧縮済みサブバンドデータＣＳＢ４２，ＣＳＢ４３は、第１ワークメモリー４３−４のブロック記憶領域４２−４ｂに記憶されている。このため、圧縮済みサブバンドデータＣＳＢ４２，ＣＳＢ４３の「ディスクリプターアドレス」は、ブロック記憶領域４２−４ｂのディスクリプター４１−４ｂの先頭アドレスを示す。
【００６９】
図７に示すサブバンド管理データとディスクリプターとの間の関連付けは、第１ワークメモリー４３−１〜４３−４に圧縮済みサブバンドデータＣＳＢ１１〜ＣＳＢ４３が記憶されている場合のものである。
【００７０】
第１ワークメモリー４３−１〜４３−４が一旦解放され、新たに第２ワークメモリーが確保され、第２ワークメモリーに圧縮済みサブバンドデータＣＳＢ１１〜ＣＳＢ４３がロードされる際には、サブバンド管理データとディスクリプターとの間の関連付けは更新される。
【００７１】
データロード部３４は、サブバンド管理データ５１とディスクリプターとの関連付けを変更する際に、オフセット情報を、第２ワークメモリーに関連付けられているブロック記憶領域の先頭からのオフセットの値へ変更する。
【００７２】
メモリー領域管理部３２は、１つのバンドデータに対して、そのバンドデータに対応する圧縮済みサブバンドデータの合計サイズをサブバンド管理データ５１に基づいて特定し、その合計サイズに基づくサイズの記憶領域を、１つの第２ワークメモリーとして確保する。
【００７３】
データロード部３４は、回転角指定情報により指定された回転角に応じて、サブバンド管理データ５１とディスクリプターとの関連付けを変更し、伸張処理部３５は、回転角指定情報により指定された回転角に応じて、サブバンドデータ内での回転を行う。
【００７４】
次に、上記画像処理装置１３の動作について説明する。
【００７５】
図８は、図１における画像処理装置１３の動作について説明するフローチャートである。
【００７６】
バンドごとに、メモリー領域管理部３２は、メモリー２２の空き領域からブロック記憶領域を確保して第１ワークメモリーに割り当て、各ブロック記憶領域に対するディスクリプターを生成するとともに、各サブバンドに対するサブバンド管理データを生成する（ステップＳ１）。
【００７７】
このとき、各サブバンド管理データ５１−ｉにおける「ディスクリプターアドレス」、「回転角指定情報」、および「ファーストコピーフラグ」の値がセットされる。「回転角指定情報」の値は、例えば、コピーや印刷などのジョブの設定に基づいて特定される。
【００７８】
そして、この１ページ分の画像データがファーストコピーの画像データではない場合（ステップＳ２）、圧縮処理部３１は、各バンドについてのサブバンドデータＳＢｉｊを圧縮し、第１ワークメモリーに記憶し（ステップＳ３）、メモリー領域管理部３２は、各サブバンド管理データ５１−ｉにおける「圧縮済みサブバンドデータサイズ」および「オフセット情報」の値をセットする（ステップＳ４）。例えば図２に示すサブバンドデータＳＢ１１〜ＳＢ４３については、この時点で、ディスクリプター４１−１〜４１−４ｂが、図４に示す状態となり、サブバンド管理データ５１−１〜５１−１２は、図５および図７に示す状態となる。次に、データストア部３３は、主走査方向および副走査方向に沿って順番に、第１ワークメモリーから圧縮済みサブバンドデータＣＳＢｉｊを読み出し連続させて、ソートメモリーにストアする（ステップＳ５）。図９は、ソートメモリー内に保存されている１つの画像データに対応する圧縮済みサブバンドデータの一例を示す図である。例えば図２に示すサブバンドデータＳＢ１１〜ＳＢ４３を圧縮した圧縮済みサブバンドデータＣＳＢ１１〜ＣＳＢ４３が、ソートメモリーでは、図９に示すように連続して記憶される。
【００７９】
このようにして、１ページ分の画像データが圧縮された状態でソートメモリーに保存される。メモリー領域管理部３２は、ソートメモリーに１ページ分の圧縮済みサブバンドデータＣＳＢｉｊが保存された後、第１ワークメモリーを解放し、第１ワークメモリーのブロック記憶領域についてのディスクリプターを破棄する（ステップＳ６）。
【００８０】
その後、この画像データが印刷などで必要になると、ソートメモリーから読み出されて伸張され、回転が必要な場合には伸張とともに画像の回転を行う。その場合、まず、バンドごとに、メモリー領域管理部３２は、サブバンド管理データ５１−ｉを参照して各圧縮済みサブバンドデータＣＳＢｉｊのサイズを特定し、圧縮済みサブバンドデータＣＳＢｉｊに必要となるブロック記憶領域を確保して第２ワークメモリーに割り当て、各ブロック記憶領域に対するディスクリプターを生成する（ステップＳ７）。
【００８１】
データロード部３４は、圧縮済みサブバンドデータＣＳＢｉｊを順番にソートメモリーから読み出し、第２ワークメモリーにロードする（ステップＳ８）。
【００８２】
図１０は、ソートメモリーからのロード後のディスクリプターによるワークメモリーの管理について説明する図である。
【００８３】
図９に示すようにソートメモリーに保存された圧縮済みサブバンドデータＣＳＢ１１〜ＣＳＢ４３がロードされる場合、例えば図１０に示すように、２つのブロック記憶領域４２−５ａ，４２−５ｂが、第２ワークメモリー４３−５に割り当てられ、１つのブロック記憶領域４２−６が、第２ワークメモリー４３−６に割り当てられ、２つのブロック記憶領域４２−７ａ，４２−７ｂが、第２ワークメモリー４３−７に割り当てられ、１つのブロック記憶領域４２−８が、第２ワークメモリー４３−８に割り当てられている。
【００８４】
そして、ブロック記憶領域４２−５ａ，４２−５ｂ，４２−６，４２−７ａ，４２−７ｂ，４２−８に対応して、ディスクリプター４１−５ａ，４１−５ｂ，４１−６，４１−７ａ，４１−７ｂ，４１−８が生成される。
【００８５】
ディスクリプター４１−５ａでは、「データ開始アドレス」に、ブロック記憶領域４２−５ａの先頭アドレスがセットされ、「後続ディスクリプターアドレス」に、ディスクリプター４２−５ｂの先頭アドレスがセットされ、「最終ディスクリプターフラグ」に１がセットされる。圧縮済みサブバンドデータＣＳＢ１１，ＣＳＢ１２（一部）がブロック記憶領域４２−５ａに記憶され、圧縮済みサブバンドデータＣＳＢ１１，ＣＳＢ１２（一部）の合計サイズが、ディスクリプター４１−５ａの「データサイズ」にセットされる。
【００８６】
ディスクリプター４１−５ｂでは、「データ開始アドレス」に、ブロック記憶領域４２−５ｂの先頭アドレスがセットされ、「後続ディスクリプターアドレス」に、ディスクリプター４１−６の先頭アドレスがセットされ、「最終ディスクリプターフラグ」に１がセットされる。圧縮済みサブバンドデータＣＳＢ１２の残りと圧縮済みサブバンドデータＣＳＢ１３がブロック記憶領域４２−５ｂに記憶されているときに、圧縮済みサブバンドデータＣＳＢ１２の残りと圧縮済みサブバンドデータＣＳＢ１３の合計サイズが、ディスクリプター４１−５ｂの「データサイズ」にセットされる。
【００８７】
つまり、この例では、第２ワークメモリー４３−５内で、圧縮済みサブバンドデータＣＳＢ１１，ＣＳＢ１２（一部）と圧縮済みサブバンドデータＣＳＢ１２（残り），ＣＳＢ１３とが異なるブロック記憶領域４２−５ａ，４２−５ｂに記憶される。
【００８８】
ディスクリプター４１−６では、「データ開始アドレス」に、ブロック記憶領域４２−６の先頭アドレスがセットされ、「後続ディスクリプターアドレス」に、ディスクリプター４１−７ａの先頭アドレスがセットされ、「最終ディスクリプターフラグ」に１がセットされる。圧縮済みサブバンドデータＣＳＢ２１〜ＣＳＢ２３がブロック記憶領域４２−６に記憶され、圧縮済みサブバンドデータＣＳＢ２１〜ＣＳＢ２３の合計サイズが、ディスクリプター４１−６の「データサイズ」にセットされる。
【００８９】
ディスクリプター４１−７ａでは、「データ開始アドレス」に、ブロック記憶領域４２−７ａの先頭アドレスがセットされ、「後続ディスクリプターアドレス」に、ディスクリプター４１−７ｂの先頭アドレスがセットされ、「最終ディスクリプターフラグ」に１がセットされる。圧縮済みサブバンドデータＣＳＢ３１，ＣＳＢ３２がブロック記憶領域４２−７ａに記憶され、圧縮済みサブバンドデータＣＳＢ３１，ＣＳＢ３２の合計サイズが、ディスクリプター４１−７ａの「データサイズ」にセットされる。
【００９０】
ディスクリプター４１−７ｂでは、「データ開始アドレス」に、ブロック記憶領域４２−７ｂの先頭アドレスがセットされ、「後続ディスクリプターアドレス」に、ディスクリプター４１−８の先頭アドレスがセットされ、「最終ディスクリプターフラグ」に１がセットされる。圧縮済みサブバンドデータＣＳＢ３３がブロック記憶領域４２−７ｂに記憶され、圧縮済みサブバンドデータＣＳＢ３３のサイズが、ディスクリプター４１−７ｂの「データサイズ」にセットされる。
【００９１】
つまり、この例では、第２ワークメモリー４３−７内で、圧縮済みサブバンドデータＣＳＢ３１，ＣＳＢ３２と圧縮済みサブバンドデータＣＳＢ３３とが異なるブロック記憶領域４２−７ａ，４２−７ｂに記憶されている。
【００９２】
ディスクリプター４１−８では、「データ開始アドレス」に、ブロック記憶領域４２−８の先頭アドレスがセットされ、「後続ディスクリプターアドレス」に、ＮＵＬＬがセットされ、「最終ディスクリプターフラグ」に０がセットされる。圧縮済みサブバンドデータＣＳＢ４１がブロック記憶領域４２−８に記憶され、圧縮済みサブバンドデータＣＳＢ４１のサイズが、ディスクリプター４１−８の「データサイズ」にセットされる。
【００９３】
次に、データロード部３４は、サブバンド管理データ５１−ｉを更新して、確保された第２ワークメモリーに合わせて生成されたディスクリプターを、サブバンド管理データ５１−ｉに関連付ける（ステップＳ９）。その際、データロード部３４は、サブバンド管理データ５１−ｉから回転角指定情報を読み出し、その回転角指定情報により指定される回転角に対応させて、そのディスクリプターをサブバンド管理データ５１−ｉに関連付ける。さらに、このとき、サブバンド管理データ５１−ｉ内のオフセット情報を併せて更新する。
【００９４】
例えば、図２に示す画像データの場合、回転角指定情報により指定される回転角が０度であれば（つまり、回転なしであれば）、ロード後の伸張で得られるサブバンドデータＳＢ１１〜ＳＢ４３の配列は、図２に示すようになる。このため、回転角指定情報により指定される回転角が０度である場合、図１１に示すように、ディスクリプター４１−５ａ〜４１−８がサブバンド管理データ５１−１〜５１−１２に関連付けられる。図１１は、回転角指定情報により指定される回転角が０度である場合（つまり、回転なしの場合）における、ソートメモリーからのロード後の、サブバンド管理データとディスクリプターとの間の関連付けの一例を示す図である。
【００９５】
一方、図２に示す画像データの場合において、回転角指定情報により指定される回転角が９０度であるときには、ロード後に伸張されるサブバンドデータＳＢ１１〜ＳＢ４３の配列は、図１２に示すようになる。図１２は、図２に示す画像データを９０度回転させた後の画像データの構成を示す図である。
【００９６】
図１２に示すように、サブバンドデータＳＢ１１〜ＳＢ４３の配列が変更されるため、各サブバンド管理データ５１−ｉが管理する圧縮済みサブバンドデータＣＳＢｊｋも、図１３に示すように変更される。図１３は、９０度回転後の、各サブバンド管理データによる圧縮済みサブバンドデータの管理について説明する図である。
【００９７】
つまり、この場合、サブバンド管理データ５１−１〜５１−４は、圧縮済みサブバンドデータＣＳＢ１３，ＣＳＢ２３，ＣＳＢ３３，ＣＳＢ４３を管理し、サブバンド管理データ５１−５〜５１−８は、圧縮済みサブバンドデータＣＳＢ１２，ＣＳＢ２２，ＣＳＢ３２，ＣＳＢ４２を管理し、サブバンド管理データ５１−９〜５１−１２は、圧縮済みサブバンドデータＣＳＢ１１，ＣＳＢ２１，ＣＳＢ３１，ＣＳＢ４１を管理する。
【００９８】
そして、この場合、サブバンド管理データ５１−１〜５１−１２には、図１４に示すように、ディスクリプター４１−５ａ〜４１−８が関連付けられる。図１４は、回転角指定情報により指定される回転角が９０度である場合における、ソートメモリーからのロード後の、サブバンド管理データとディスクリプターとの間の関連付けの一例を示す図である。
【００９９】
つまり、第２ワークメモリーへの圧縮済みサブバンドデータＣＳＢｊｋのロード時に生成されるディスクリプターをサブバンド管理データ５１−１〜５１−１２に関連付ける際に、回転角に応じた関連付けとするため、メモリー２２内での圧縮済みサブバンドデータＣＳＢｊｋ（あるいはサブバンドデータＳＢｊｋ）自体の配置を回転角に応じて変更する必要がない。
【０１００】
そして、伸張処理部３５は、サブバンド管理データ５１−ｉを順番に参照し、サブバンド管理データ５１−ｉに対応する圧縮済みサブバンドデータＣＳＢｊｋを第２ワークメモリーから読み出して伸張し（ステップＳ１０）、回転角指定情報に基づき回転が必要であると判定した場合には、伸張後のサブバンドデータＳＢｊｋを、回転角に応じてサブバンドデータＳＢｊｋに対して回転処理を行い、回転角に応じたサブバンドデータの記憶位置に記憶する（ステップＳ１１）。
【０１０１】
例えば、図２に示す画像データを９０度回転させると、回転後のサブバンドデータの配列は、図１５に示すようになる。図１５は、図１４に示す関連付けに対応するサブバンドデータ（つまり、９０度回転後のサブバンドデータ）の配列を示す図である。そのため、各サブバンドデータＳＢｊｋを９０度回転させた上でサブバンドデータの記憶位置に記憶させることで、図１２に示すようになる。
【０１０２】
そして、この１ページ分の画像データの伸張が完了すると、メモリー領域管理部３２は、第２ワークメモリーを解放し、第２ワークメモリーのブロック記憶領域についてのディスクリプターを破棄する（ステップＳ１２）。なお、サブバンド管理データは、そのサブバンド管理データにより圧縮済みサブバンドデータが管理されている１ページの画像データが不要となった時点（つまり、ソートメモリー内の圧縮済みサブバンドデータが破棄された時点）で破棄される。例えば、複数部印刷の場合においては、最後の部の印刷が完了した後に、ソートメモリー内の圧縮済みサブバンドデータが破棄される。
【０１０３】
一方、この１ページ分の画像データがファーストコピーの画像データである場合には（ステップＳ２）、以下の処理が実行される。
【０１０４】
このとき、上述のステップＳ３，Ｓ４，Ｓ５と同じように、圧縮処理部３１は、各バンドについてのサブバンドデータＳＢｉｊを圧縮し、第１ワークメモリーに記憶し、メモリー領域管理部３２は、各サブバンド管理データ５１−ｉにおける「圧縮済みサブバンドデータサイズ」および「オフセット情報」の値をセットし、データストア部３３は、順番に、第１ワークメモリーから圧縮済みサブバンドデータＣＳＢｉｊを読み出し連続させて、ソートメモリーにストアする（ステップＳ１３）。
【０１０５】
他方、データロード部３４および伸張処理部３５は、所定の数バンド分の圧縮処理が完了した時点で以下の処理を開始し、上述のステップＳ１３における圧縮処理部３１、メモリー領域管理部３２、データストア部３３の処理と並行してその処理を実行する（ステップＳ１４）。
【０１０６】
このとき、データロード部３４は、サブバンド管理データ５１−ｉから回転角指定情報を読み出し、回転角指定情報に基づき回転が必要であると判定した場合には、その回転角指定情報により指定される回転角に対応させて、第１ワークメモリーについてのディスクリプターをサブバンド管理データ５１−ｉに関連付けなおす。さらに、このとき、サブバンド管理データ５１−ｉ内のオフセット情報を併せて更新する。なお、データロード部３４は、回転角指定情報に基づき回転が必要ではないと判定した場合には、サブバンド管理データ５１−ｉに対して特に何もしない。
【０１０７】
そして、伸張処理部３５は、サブバンド管理データ５１−ｉを順番に参照し、サブバンド管理データ５１−ｉに対応する圧縮済みサブバンドデータＣＳＢｊｋを第１ワークメモリーから読み出して伸張する。このとき、伸張処理部３５は、回転角指定情報に基づき回転が必要であると判定した場合には、伸張後のサブバンドデータＳＢｊｋを、回転角に応じてサブバンドデータＳＢｊｋに対して回転処理を行い、回転角に応じたサブバンドデータの記憶位置に記憶する。
【０１０８】
そして、ファーストコピーの１ページ分の画像データの回転および伸張（ステップＳ１４）が完了すると、メモリー領域管理部３２は、第１ワークメモリーを解放し、第１ワークメモリーのブロック記憶領域についてのディスクリプターを破棄する（ステップＳ１５）。なお、サブバンド管理データは、そのサブバンド管理データにより圧縮済みサブバンドデータが管理されている１ページの画像データが不要となった時点で破棄される。
【０１０９】
以上のように、上記実施の形態によれば、メモリー領域管理部３２は、（ａ）メモリー２２において物理的に確保した１または複数のブロック記憶領域を第１ワークメモリーに割り当て、各ブロック記憶領域に対してディスクリプターを生成し、（ｂ）処理対象の画像データがファーストコピーの画像データではない場合、メモリー２２において物理的に確保した１または複数のブロック記憶領域を第２ワークメモリーに割り当て、各ブロック記憶領域に対してディスクリプターを生成し、処理対象の画像データがファーストコピーの画像データである場合、第２ワークメモリーのために１または複数のブロック記憶領域を確保せず、また、第２ワークメモリーのためのディスクリプターを生成せず、（ｃ）画像データ内での主走査方向および副走査方向のサブバンドデータの配列に沿って順番に、圧縮済みのサブバンドデータが記憶されているブロック記憶領域についてのディスクリプターを関連付けたサブバンド管理データを生成する。データストア部３３は、処理対象の画像データから得られる圧縮済みのサブバンドデータを第１ワークメモリーから読み出し、ソートメモリーに保存する。そして、データロード部３４は、処理対象の画像データがファーストコピーの画像データではない場合、ソートメモリーから圧縮済みのサブバンドデータを読み出し、メモリー２２内の第２ワークメモリーにそれぞれ記憶し、処理対象の画像データがファーストコピーの画像データである場合、ソートメモリーから圧縮済みのサブバンドデータを読み出さず、伸張処理部３５は、処理対象の画像データがファーストコピーの画像データではない場合、第２ワークメモリーに記憶されている圧縮済みのサブバンドデータを伸張し、処理対象の画像データがファーストコピーの画像データである場合、第１ワークメモリーに記憶されている圧縮済みのサブバンドデータを伸張する。
【０１１０】
これにより、物理的に分割してワークメモリーの記憶領域を確保するメモリー領域管理を行っており、画像データを圧縮して保存する場合において、ファーストコピーの際の第２ワークメモリーのためのディスクリプターを生成する必要がないため、ファーストコピータイムが短くて済む
【０１１１】
なお、上述の実施の形態は、本発明の好適な例であるが、本発明は、これらに限定されるものではなく、本発明の要旨を逸脱しない範囲において、種々の変形、変更が可能である。
【０１１２】
例えば、上記実施の形態において、メモリー領域管理部３２は、画像データがファーストコピーの画像データである場合において伸張処理部３５が第１ワークメモリーに記憶されている圧縮済みのサブバンドデータを伸張している際に、並行して、ファーストコピーの画像データの後続ページのために、物理的に１または複数のブロック記憶領域をメモリー２２において確保し、確保した１または複数のブロック記憶領域を第２ワークメモリーに割り当て、１または複数のブロック記憶領域を関連付けるディスクリプターを生成するようにしてもよい。
【産業上の利用可能性】
【０１１３】
本発明は、例えば、コピー機、複合機などの画像形成装置内の画像処理装置に適用可能である。
【符号の説明】
【０１１４】
１３  画像処理装置
２２  メモリー
３１  圧縮処理部
３２  メモリー領域管理部
３３  データストア部
３４  データロード部
３５  伸張処理部
４１，４１−１〜４１−４ｂ，４１−５ａ〜４１−８  ディスクリプター（ブロック管理データの一例）
４２−１〜４２−４ｂ，４２−５ａ〜４２−８  ブロック記憶領域
４３−１〜４３−４  第１ワークメモリー
４３−５〜４３−８  第２ワークメモリー
５１，５１−１〜５１−１２  サブバンド管理データ
【図１】
0006344609.tif 000002
【図２】
0006344609.tif 000003
【図３】
0006344609.tif 000004
【図４】
0006344609.tif 000005
【図５】
0006344609.tif 000006
【図６】
0006344609.tif 000007
【図７】
0006344609.tif 000008
【図８】
0006344609.tif 000009
【図９】
0006344609.tif 000010
【図１０】
0006344609.tif 000011
【図１１】
0006344609.tif 000012
【図１２】
0006344609.tif 000013
【図１３】
0006344609.tif 000014
【図１４】
0006344609.tif 000015
【図１５】
0006344609.tif 000016